(57)【要約】      （修正有）【課題】バッテリー本体内の液面レベルを検知可能で、且つ前記液面レベルの上昇する時にはフロートにより液通路を通してのバッテリー液の注入を自動的に遮断可能としたバッテリーの液量検知装置及び液量検知方法を提供する。【解決手段】フロートの位置でバッテリー液の液量を検知するように構成され、フロートの上部に連結された指示棒と、該指示棒の上部に設けられ、手で持つための把持部と、液通路を有する筒状に形成され外周にバッテリー本体の液注入口ボスの端面に当接可能な落下防止用のストッパー部が形成されたガイドとをそなえ、ガイドの外周を液注入口に挿入してフロートを液面に浮かせて指示棒の目盛の位置によってバッテリー液量を検知するとともにバッテリー液量が高レベル位置にきたとき，把持部を持ち上げたときには、フロート又は前記指示棒の一部によりガイドの液通路を閉鎖するように構成した。【選択図】図１
2006286253.tif 000002
【特許請求の範囲】
【請求項１】
液量検知部材をバッテリーの液注入口からバッテリー本体内に挿入し、該液量検知部材のフロートを該バッテリー本体内に収容されたバッテリー液の液面に浮かせて、該フロートの位置によって前記バッテリー液の液量を検知するように構成されたバッテリーの液量検知装置において、前記液量検知部材は、前記フロートの上部に連結され前記液量を表示する目盛が形成された指示棒と、該指示棒の上部に設けられ、手で持つための把持部と、内部に液通路を有する筒状に形成されるとともに外周に前記バッテリー本体の液注入口ボスの端面に当接可能な落下防止用のストッパー部が形成されたガイドとをそなえ、前記液量検知部材のガイドの外周を前記液注入口に挿入して前記フロートを前記液面に浮かせて前記指示棒の目盛の位置によってバッテリー液量を検知するとともに前記バッテリー液量が高レベル位置にきたとき又は前記把持部を持ち上げたときには前記フロート又は前記指示棒の一部により前記ガイドの液通路を閉鎖するように構成したことを特徴とするバッテリーの液量検知装置。
【請求項２】
前記ガイドの内側に前記液通路の一部を貫通して連結され内周に前記指示棒を上下摺動可能に支持する支持部材をそなえたことを特徴とする請求項１記載のバッテリーの液量検知装置。
【請求項３】
前記ストッパー部は漏斗状に形成され、該漏斗状部の外周面が前記バッテリー本体の液注入口ボスの端面に当接可能に構成されたことを特徴とする請求項１記載のバッテリーの液量検知装置。
【請求項４】
液量検知部材をバッテリーの液注入口からバッテリー本体内に挿入し、該液量検知部材のフロートを該バッテリー本体内に収容されたバッテリー液の液面に浮かせて、該フロートの位置によって前記バッテリー液の液量を検知するバッテリーの液量検知方法であって、前記フロートと該フロートの上部に連結され前記液量を表示する目盛が形成された指示棒との一体部材の、全長の異なるものを複数個用意し、前記バッテリーの容量に応じて全長の異なる前記一体部材を組み替え、内部に液通路を有する筒状に形成されるとともに外周上部に落下防止用のストッパー部が形成されたガイドの外周を前記液注入口に挿入し、前記一体部材のフロートを前記液面に浮かせて前記指示棒の目盛の位置によってバッテリー液量を検知することを特徴とするバッテリーの液量検知方法。
【請求項５】
液量検知部材をバッテリーの液注入口からバッテリー本体内に挿入し、該液量検知部材のフロートを該バッテリー本体内に収容されたバッテリー液の液面に浮かせて、該フロートの位置によって前記バッテリー液の液量を検知するバッテリーの液量検知方法であって、内部に液通路を有する筒状に形成されるとともに外周に前記バッテリー本体の液注入口ボスの端面に当接可能な落下防止用のストッパー部が形成されたガイドの、前記液通路の径及び前記液注入口ボスの端面との当接部から下端までの長さの異なるものを複数個用意し、前記バッテリーの容量に応じて前記径及び長さの異なる前記ガイドを組み替え、前記ガイドの外周を前記液注入口に挿入して前記フロートを前記液面に浮かせて前記指示棒の目盛の位置によってバッテリー液量を検知することを特徴とするバッテリーの液量検知方法。
【発明の詳細な説明】
【技術分野】
【０００１】
本発明は、車両用バッテリーの液量検知に適用され、液量検知部材をバッテリーの液注入口からバッテリー本体内に挿入し、該液量検知部材のフロートを該バッテリー本体内に収容されたバッテリー液の液面に浮かせて、該フロートの位置によって前記バッテリー液の液量を検知するバッテリーの液量検知方法及びバッテリーの液量検知装置に関する。
【背景技術】
【０００２】
トラック、バス等の車両に搭載されるバッテリーの液量を検知する手段として、下部にフロートをそなえた液量検知部材をバッテリーの液注入口からバッテリー本体内に挿入し、前記フロートをバッテリー液の液面に浮かせて、該フロートの位置によって前記バッテリー液の液量を検知する手段が、たとえば特許文献１（特公平５−４４１４０号公報）にて提供されている。
【０００３】
前記特許文献１にて提供されている技術においては、下部にフロートをそなえた液量検知部材をバッテリーの液注入口からバッテリー本体内に挿入し、液量検知部材のフロートをバッテリー液の液面に浮かせ、前記フロートの上部に連結された指示棒をバッテリー本体の液注入口ボス内に挿入、抜出し可能で内側に液通路を有する筒状のガイドの中心部に上下動可能に支持し、前記液面が下がったとき前記フロートが液通路を開いてバッテリー本体内への液の注入を可能とし、前記液面が上昇すると前記フロートが液通路を閉じて前記バッテリー本体内への液の注入を遮断するように構成されている。
【０００４】
【特許文献１】特公平５−４４１４０号公報
【発明の開示】
【発明が解決しようとする課題】
【０００５】
前記特許文献１にて提供されている技術にあっては、バッテリー液面が下がったときフロートが液通路を開いて、バッテリー本体内への液の注入を可能とし、前記液面が上昇するとフロートが液通路を閉じてバッテリー本体内への液の注入を遮断するように構成されているにとどまり、バッテリー本体内の液面が下がったときの液面レベルを定量的に表示する目盛等が無いため、液量検知部材によっては液面レベルの低下を検知できない。
また液面レベルが上昇したときには、フロートが液通路を閉じてバッテリー本体内への液の注入を遮断するにとどまり、液量検知部材によって液面レベルの検知はできない。
等の問題点を有している。
【０００６】
本発明はかかる従来技術の課題に鑑み、バッテリー本体内の液面レベルの低下を定量的に検知可能で、且つ前記液面レベルの上昇する時にはフロートにより液通路を通してのバッテリー液の注入を自動的に遮断可能としたバッテリーの液量検知装置及び液量検知方法を提供することを目的とする。
【課題を解決するための手段】
【０００７】
本発明はかかる目的を達成するもので、液量検知部材をバッテリーの液注入口からバッテリー本体内に挿入し、該液量検知部材のフロートを該バッテリー本体内に収容されたバッテリー液の液面に浮かせて、該フロートの位置によって前記バッテリー液の液量を検知するように構成されたバッテリーの液量検知装置において、前記液量検知部材は、前記フロートの上部に連結され前記液量を表示する目盛が形成された指示棒と、該指示棒の上部に設けられ、手で持つための把持部と、内部に液通路を有する筒状に形成され、外周に前記バッテリー本体の液注入口ボスの端面に当接可能な落下防止用のストッパー部が形成されたガイドとをそなえ、前記液量検知部材のガイドの外周を前記液注入口に挿入して前記フロートを前記液面に浮かせて前記指示棒の目盛の位置によってバッテリー液量を検知するとともに前記バッテリー液量が高レベル位置にきたとき又は前記把持部を持ち上げたときには前記フロート又は前記指示棒の一部により前記ガイドの液通路を閉鎖するように構成したことを特徴とする。
【０００８】
かかる発明によれば、フロートの上部に連結されて液量を表示する目盛が形成された指示棒と、該指示棒の上部に設けられ、手で持つための把持部と、内部に液通路を有する筒状に形成されるとともに外周に前記バッテリー本体の液注入口ボスの端面に当接可能な落下防止用のストッパー部を有するガイドとにより構成された液量検知部材を備えているので、前記ガイドの外周をバッテリーの液注入口に挿入して、フロートを液面に浮かせ前記指示棒の目盛の位置によって、バッテリー液量が基準液量であるか否かを一目で検知することができるとともに、前記バッテリー液量が高レベル位置にきたとき又は前記把持部を持ち上げたときにはフロート又は前記指示棒の一部によりガイドの液通路を自動的に閉鎖することができる。
【０００９】
従ってかかる発明によれば、前記液量検知部材を液注入口からバッテリー本体内に挿入するのみでバッテリー液量を一目で定量的に検知できるとともに、前記液量検知部材内を通してのバッテリー液の補充時にはバッテリー液量が高レベル位置にきたとき、フロートにより液通路を自動的に閉鎖することにより、無駄なバッテリー液の補充を回避できることとなる。これにより、前記液量検知部材を液注入口からバッテリー本体内に挿入することによって、バッテリー液の過不足の点検及びバッテリー液の許容量までの補充を容易に実施できる。
また、指示棒に設けられた把持部を手で持ち上げて、１個の液量検知部材をバッテリーの複数の液注入口に順次挿入していくことによって、液通路に貯まっているバッテリー液をこぼすことなく、バッテリー液の過不足の点検とバッテリー液の許容量までの補充を短時間で実施できる。
以上により、バッテリー液の点検及び補充作業が容易化されて作業時間を短縮でき、かかる作業の作業能率が向上するとともに、無駄なバッテリー液の補充を回避できる。
【００１０】
またかかる発明において、好ましくは、前記ガイドの内側に前記液通路の一部を貫通して連結され内周に前記指示棒を上下摺動可能に支持する支持部材をそなえる。
このように構成すれば、バッテリー液の点検及び補充時における指示棒のふらつきを回避できる。
またかかる発明において、好ましくは、前記ストッパー部は漏斗状に形成され、該漏斗状部の外周面が前記バッテリー本体の液注入口ボスの端面に当接可能に構成される。
このように構成すれば、ガイドの注入口が漏斗状に形成されて大きく開口しているので、バッテリー液の注入を容易に行なうことができる。
【００１１】
また本発明は、次の２つのバッテリー液量検知方法を提案する。
（１）フロートと該フロートの上部に連結され液量を表示する目盛が形成された指示棒との一体部材の、全長の異なるものを複数個用意し、バッテリーの容量に応じて全長の異なる前記一体部材を組み替え、内部に液通路を有する筒状に形成されるとともに外周上部に落下防止用のストッパー部が形成されたガイドの外周を液注入口に挿入し、前記一体部材のフロートを液面に浮かせて指示棒の目盛の位置によってバッテリー液量を検知する。
（２）内部に液通路を有する筒状に形成されるとともに外周にバッテリー本体の液注入口ボスの端面に当接可能な落下防止用のストッパー部が形成されたガイドの、液通路の径及び液注入口ボスの端面との当接部から下端までの長さの異なるものを複数個用意し、バッテリーの容量に応じて前記径及び長さの異なるガイドを組み替え、該ガイドの外周を液注入口に挿入してフロートを液面に浮かせて指示棒の目盛の位置によってバッテリー液量を検知する。
【００１２】
かかる２つのバッテリー液量検知方法によれば、前記（１）のようにフロートと液量を表示する目盛が形成された指示棒との一体部材について全長の異なるものを複数個用意し、あるいは前記（２）のように内部に液通路を有する筒状に形成され外周がバッテリー本体の液注入口ボスの端面に当接可能なガイドについて、液通路の径及び液注入口ボスの端面との当接部から下端までの長さの異なるものを複数個用意するのみで、バッテリー本体の容量に従い、前記フロートと指示棒との一体部材あるいはガイドを選択使用することによって、容量の異なる多種のバッテリーについて、バッテリー液の点検と補充を行なうことが可能となる。
【発明の効果】
【００１３】
本発明によれば、液量検知部材を液注入口からバッテリー本体内に挿入するのみでバッテリー液量を一目で定量的に検知できるとともに、液量検知部材内を通してのバッテリー液の補充時にはバッテリー液量が高レベル位置にきたとき、フロート又は指示棒の一部により液通路を自動的に閉鎖することにより無駄なバッテリー液の補充を回避できることとなり、液量検知部材を液注入口からバッテリー本体内に挿入することによって、バッテリー液の過不足の点検とバッテリー液の許容量までの補充を容易に実施できる。また、指示棒に設けられた把持部を手で持ち上げて、１個の液量検知部材をバッテリーの複数の液注入口に順次挿入していくことによって、液通路に貯まっているバッテリー液をこぼすことなく、バッテリー液の過不足の点検とバッテリー液の許容量までの補充を短時間で実施できる。
これにより、バッテリー液の点検及び補充作業が容易化されて作業時間を短縮でき、かかる作業の作業能率が向上するとともに、無駄なバッテリー液の補充を回避できる。
【発明を実施するための最良の形態】
【００１４】
以下、本発明を図に示した実施例を用いて詳細に説明する。但し、この実施例に記載されている構成部品の寸法、材質、形状、その相対配置などは特に特定的な記載がない限り、この発明の範囲をそれのみに限定する趣旨ではなく、単なる説明例にすぎない。
【００１５】
図５は、本発明が適用される車両用バッテリーの斜視図であり、図において、１００はバッテリー、１０１はバッテリー本体（セル）、２２は注入口ボス、２１は該注入口ボス２２に穿孔された液注入口である。
本発明は、前記バッテリー１００に、バッテリー液を注入するための液量検知装置及び液量検知方法に係るものである。
【実施例１】
【００１６】
図１は本発明の第１実施例に係る車両用バッテリーの液量検知装置における液量検知部材の斜視図、図２は前記第１実施例における車両用バッテリーの液量検知装置の要部断面図で、（Ａ）はバッテリー液の不足時、（Ｂ）はバッテリー液の充満時をそれぞれ示す。
図１〜２において、１０１はバッテリー本体、２２は該バッテリー本体１０１の上面に突設された注入口ボス、２１は該注入口ボス２２に穿孔された液注入孔である。
１０は液注入孔２１に挿入，抜出し可能なバッテリー液注入用の液量検知部材で、次のように構成されている。
【００１７】
３は前記バッテリー本体１０１内の液面１０２に浮設されたフロート、２は前記フロート３の上部に連結された指示棒で、該指示棒２には前記バッテリー本体１０１内における最小液量目盛４ａ及び最大液量目盛４ｂが刻印されている。２ａは把持部である。
１は筒状に形成されたガイドで、漏斗状に形成された漏斗状部１ａの下部に円筒状に形成された円筒部１ｂが結合されてなる。前記ガイド１は、前記円筒部１ｂが前記液注入孔２１内に嵌合されるとともに、前記漏斗状部１ａが前記注入口ボス２２の上面２２ａに当接可能とされた落下防止用のストッパー部を構成している。そして前記ガイド１の内部空間は、前記バッテリー本体１０１内へのバッテリー液が通過する液通路１ｄとなっている。
前記のように、ガイド１の注入口が漏斗状部１ａに形成され大きく開口しているので、バッテリー液の注入を容易に行なうことができる。
【００１８】
２３は支持部材で、前記ガイド１の漏斗状部１ａの内側に前記液通路１ｄの一部を貫通して連結され、内周側に前記指示棒２を上下摺動可能に支持している。即ち、図１のように、前記支持部材２３は、外周側が前記漏斗状部１ａの内周に結合され内周側にボス部２３ａを有する板状に形成されており、該支持部材２３と前記漏斗状部１ａとの間に液通路１ｄが形成され、さらに前記支持部材２３のボス部２３ａの内周に、前記指示棒２が上下摺動可能に嵌合している。このような指示棒２の支持形態によって、バッテリー液の点検及び補充時における指示棒２のふらつきを回避できる。
５は前記ガイド１の円筒部１ｂの下端に取付けられたシール部材で、図１のように、前記円筒部１ｂの内周に固定され、中央部にバッテリー液を排出する液排出口５ａが形成されている。
【００１９】
かかる第１実施例において、図２（Ａ）のようなバッテリー液の不足時には、前記フロート３が該バッテリー本体１０１内に収容されたバッテリー液の液面１０２に浮いた状態で、前記ガイド１の下端よりも下方にあるため、前記液排出口５ａが開放されている。
この開放状態で、前記指示棒２の最小液量目盛４ａが支持部材２３のボス部２３ａの上面２３ｂに一致するのを視認することによって、前記バッテリー本体１０１内が最小液量になったことを検知できる。
かかる検知によって、前記漏斗状部１ａにバッテリー液を注入する。注入されたバッテリー液は液通路１ｄ及び液排出口５ａを通ってバッテリー本体１０１内に供給される。
【００２０】
そして、図２（Ｂ）のように前記バッテリー液の供給によって液面１０２が上昇して前記高レベル位置になると、前記フロート３が前記ガイド１の下端に取付けられたシール部材５に当接し、該フロート３によって前記ガイド１の液排出口５ａを閉鎖する。
かかる液排出口５ａの閉鎖は、図２（Ｂ）のように最大液量目盛４ｂが前記支持部材２３のボス部２３ａの上面２３ｂに一致するのを視認することによって検知できる。
さらに、前記液排出口５ａが閉鎖されているときには、指示棒２及び把持部２ａが支持部材２３のボス部２３ａの上面２３ｂ又は漏斗状部１ａの上面から上方への突出量が大きくなるように構成されており、把持部２ａを手で持ちやすくなるような構成となっている。また、把持部２ａを手で持つことによって、液排出口５ａが閉鎖されたまま、液量検知部材１０が持ち上がるので、液通路１ｄに貯まっているバッテリー液をこぼすことなく、他の注入口２１に移すことができる。
【００２１】
かかる第１実施例によれば、フロート３の上部に連結されて液面１０２を表示する最小液量目盛４ａ及び最大液量目盛４ｂが形成された指示棒２と、内部に液通路１ｄを有する筒状に形成されるとともに外周に前記バッテリー本体１０１の注入口ボス２２の端面２２ａに当接可能な落下防止用のストッパー部（漏斗状部１ａ）を有するガイド１とにより構成された液量検知部材１０を備えているので、前記ガイド１の外周をバッテリーの液注入口２１に挿入して、フロート３を液面１０２に浮かせ前記指示棒２の最小液量目盛４ａあるいは最大液量目盛４ｂの位置によって、バッテリー液量が基準液量であるか否かを一目で検知することができるとともに、前記バッテリー液量が最大液量目盛４ｂに対応する高レベル位置にきたときには、フロート３によりガイド１の液排出口５ａを自動的に閉鎖することができる。
また、前記指示棒２に形成された目盛の色を、たとえば、最小液量目盛４ａが赤、最大液量目盛４ｂが青といったように色分けをすることで、目盛の視認性が向上するとともに、目盛の誤認を防止できる。
【００２２】
従ってかかる第１実施例によれば、前記液量検知部材１０を液注入口２１からバッテリー本体１０１内に挿入するのみでバッテリー液量を一目で定量的に検知できるとともに、前記液量検知部材１０内を通してのバッテリー液の補充時にはバッテリー液量が最大液量目盛４ｂに対応する高レベル位置にきたとき、フロート３により液排出口５ａを自動的に閉鎖することにより無駄なバッテリー液の補充を回避できることとなる。これにより、前記液量検知部材１０を液注入口からバッテリー本体１０１内に挿入することによって、バッテリー液の過不足の点検とバッテリー液の許容量までの補充を容易に実施できる。
また、１個の液量検知部材１０をバッテリー１００の複数の液注入口２１に順次挿入していくことによって、バッテリー液の過不足の点検とバッテリー液の許容量までの補充を短時間で実施できる。これにより、バッテリー液の点検及び補充作業が容易化されて作業時間を短縮できる。
そして、前記液量検知部材１０をバッテリー１００の液注入口２１から、他の液注入口２１に移すときは、把持部２ａを手で持って持ち上げることで、液通路１ｄに貯まっているバッテリー液をこぼすことなく、バッテリー液の補充作業を行うことができる。
本実施例においては、ガイド１の液排出口５ａをフロート３により閉鎖するように構成したが、前記指示棒２の一部を太く形成して、該指示棒２の一部によってガイド１の液排出口５ａを閉鎖する構成としても、本発明の主旨を逸脱するものではない。
【実施例２】
【００２３】
図３の（Ａ），（Ｂ），（Ｃ）は本発明の第２実施例に係る長さの異なる液量検知部材の要部断面図である。
かかる第２実施例においては、前記フロート３と指示棒２との一体部材の全長の異なるものを複数種類用意しておき、バッテリー１００の容量に応じて全長の異なる前記一体部材を組み替えるようにして、前記第１実施例と同様なバッテリー液の過不足の点検及びバッテリー液の許容量までの補充を行なう。
即ちかかる第２実施例においては、前記フロート３と指示棒２との一体部材とガイド１との組み合わせ状態において、バッテリー本体１０１の注入口ボス２２の端面２２ａからフロート３の下端までの長さを、バッテリー１００の容量の増加に従い、同図（Ａ）のＨ１、（Ｂ）のＨ２、（Ｃ）のＨ３のように、長く形成した前記一体部材を用意しておき、バッテリー１００の容量に応じて組み替え、前記バッテリー液の過不足の点検及びバッテリー液の許容量までの補充を行なう。
【実施例３】
【００２４】
また、図４の（Ａ），（Ｂ）は本発明の第３実施例に係る大きさの異なるガイドの要部断面図である。
かかる第３実施例においては、前記ガイド１の液通路１ｄの径Ｄ及び注入口ボス２２の端面２２ａとの当接部から下端までの長さＬの異なるガイド１を複数種類用意しておき、バッテリー１００の容量に応じて前記径Ｄ及び長さＬの異なる前記ガイド１を組み替えるようにして、前記第１実施例と同様なバッテリー液の過不足の点検及びバッテリー液の許容量までの補充を行なう。
即ちかかる第３実施例においては、前記液通路１ｄの径Ｄ及びバッテリー本体１０１の注入口ボス２２の端面２２ａからガイド１の下端までの長さＬを、バッテリー１００の容量の増加に従い、同図（Ａ）のＤ１，Ｌ１、（Ｂ）のＤ２，Ｌ２のように、大きくなるように形成した前記ガイド１を用意しておき、バッテリー１００の容量に応じて組み替え、前記バッテリー液の過不足の点検及びバッテリー液の許容量までの補充を行なう。
【００２５】
かかる第２実施例及び第３実施例における液量検知方法によれば、前記第２実施例のようにフロート３と指示棒２との一体部材について全長Ｈの異なるものを複数個用意し、あるいは第３実施例のように、液通路の径D及び注入口ボス２２の端面２２ａとの当接部から下端までの長さＬの異なるガイド１を複数個用意するのみで、バッテリー１００の容量に従い、前記フロート３と指示棒２との一体部材あるいはガイド１を選択使用することによって、容量の異なる多種のバッテリー１００について、バッテリー液の点検と補充を行なうことが可能となる。
【産業上の利用可能性】
【００２６】
本発明によれば、バッテリー本体内の液面レベルの低下を定量的に検知可能で、且つ前記液面レベルの上昇する時にはフロートにより液通路を通してのバッテリー液の注入を自動的に遮断可能なバッテリーの液量検知装置を提供できる。
を提供できる。
【図面の簡単な説明】
【００２７】
【図１】本発明の第１実施例に係る車両用バッテリーの液量検知装置における液量検知部材の斜視図である。
【図２】前記第１実施例における車両用バッテリーの液量検知装置の要部断面図で、（A）はバッテリー液の不足時、（Ｂ）はバッテリー液の充満時をそれぞれ示す。
【図３】（Ａ），（Ｂ），（Ｃ）は本発明の第２実施例に係る長さの異なる液量検知部材の要部断面図である。
【図４】（Ａ），（Ｂ）は本発明の第３実施例に係る大きさの異なるガイドの要部断面図である。
【図５】本発明が適用される車両用バッテリーの斜視図である。
【符号の説明】
【００２８】
１  ガイド
１ａ  漏斗状部
１ｂ  円筒部
１ｄ  液通路
２  指示棒
３  フロート
４ａ  最小液量目盛
４ｂ  最大液量目盛
５  シール部材
５ａ  液排出口
１０  液量検知部材
２１  液注入口
２２  注入口ボス
２２ａ  上面
２３ａ  ボス部
１００  バッテリー
１０１  バッテリー本体
１０２  液面
【図１】
2006286253.tif 000003
【図２】
2006286253.tif 000004
【図３】
2006286253.tif 000005
【図４】
2006286253.tif 000006
【図５】
2006286253.tif 000007